(57)【特許請求の範囲】
【請求項１】
マニピュレータと、前記マニピュレータを制御する制御装置と、前記マニピュレータと前記制御装置とを接続する接続ケーブルと、を有する産業用ロボットであって、
前記マニピュレータは、
固定されたベース部と、
前記マニピュレータを動作させる第１のモータと、
前記第１のモータの状態を検出する第１の検出部と、
前記第１の検出部に電力を供給する電力供給部と、
前記第１のモータと前記第１の検出部とを収納する第１の筐体と、
前記第１の検出部と前記電力供給部とを接続する第１の電源ケーブルと、
前記第１の筐体に収納され、前記マニピュレータを動作させる第２のモータと、
前記第１の筐体に収納され、前記第２のモータの状態を検出する第２の検出部と、を備え、
前記電力供給部は、前記ベース部に設けられ、
前記第１の電源ケーブルは、前記第１の筐体内において分岐されて前記第２の検出部と接続された産業用ロボット。
【請求項２】
前記ベース部内に設けられ、前記電力供給部と接続された電池をさらに備える請求項１に記載の産業用ロボット。
【請求項３】
前記電池は、前記ベース部内の交換可能な位置に設けられている請求項２に記載の産業用ロボット。
【請求項４】
前記ベース部を経由し、前記制御装置と前記第１の検出部とを接続する第１の信号ケーブルをさらに備え、
前記第１の電源ケーブルと前記第１の信号ケーブルとは、前記第１の筐体と前記ベース部との間では、１本のケーブルにまとめられている請求項１〜３のいずれかに記載の産業用ロボット。
【請求項５】
前記ベース部を経由し、前記制御装置と前記第２の検出部とを接続する第２の信号ケー
ブルをさらに備え、
前記第１の電源ケーブルと前記第１の信号ケーブルと前記第２の信号ケーブルとは、前記第１の筐体と前記ベース部との間では、１本のケーブルにまとめられている請求項１〜４のいずれかに記載の産業用ロボット。
【請求項６】
前記電力供給部は、出力電圧が一定である定電圧素子とノイズを除去するフィルタとを有する請求項１〜５のいずれかに記載の産業用ロボット。
【発明の詳細な説明】
【技術分野】
【０００１】
本発明は、エンコーダおよびエンコーダ用の電源部を備えた産業用ロボットに関する。
【背景技術】
【０００２】
産業用ロボットは、マニピュレータと、マニピュレータの動作を制御する制御装置と、マニピュレータと制御装置とを接続する接続ケーブルとを有している。そして、接続ケーブルの延長による、接続ケーブルでのノイズが課題となっている。
【０００３】
従来の産業用ロボットは、一般的に、図３に示すように構成されていた。以下、その構成について、図３を参照しながら説明する。
【０００４】
図３に示すように、産業用ロボット１０１は、制御装置１０２と、マニピュレータ１０３と、複数のモータ１０４と、複数のエンコーダ１０５と、接続ケーブル１０６とから構成されている。モータ１０４は、マニピュレータ１０３を駆動する。エンコーダ１０５は、それぞれのモータ１０４に取付けられておりモータ１０４の回転位置、角度もしくは速度を検出する。接続ケーブル１０６は、複数のエンコーダ１０５が出力するフィードバック信号を制御装置１０２に送信する。
【０００５】
なお、図３では、後述する本開示に関連する構成要素のみを記載している。また、マニピュレータ１０３として６軸の例を示している。
【０００６】
制御装置１０２とマニピュレータ１０３とは、接続ケーブル１０６で接続されており、相互に信号や情報等のやり取りを行うことができる。例えば、制御装置１０２からマニピュレータ１０３へは、エンコーダ１０５用の電力の供給や駆動指令の送信等が行われる。また、マニピュレータ１０３から制御装置１０２へは、エンコーダ１０５によって検出されたマニピュレータ１０３の各関節（軸）の情報に関する信号等が送られる。
【０００７】
従来の産業用ロボット１０１は、マニピュレータ１０３を構成するモータ１０４に取り付けられたエンコーダ１０５の近くに、エンコーダ１０５用の電力供給部１０７が配置されている。この構成により、接続ケーブル１０６が長い場合に生じる、接続ケーブル１０６による電圧降下やノイズの問題を解決している（例えば、特許文献１参照）。
【０００８】
電力供給部１０７はプリント基板になっており、このプリント基板には、定電圧素子とフィルタとが設けられている。定電圧素子は、エンコーダ１０５用の電源であり、幅がある入力電圧を一定の電圧で出力する。フィルタは、制御装置１０２から電力供給部１０７までの間で発生したノイズを除去する。
【０００９】
プリント基板である電力供給部１０７をエンコーダ１０５の近くに配置することで、プリント基板に設けられたフィルタにより、エンコーダ１０５に電力が入力される直前でノイズを除去することができる。従って、エンコーダ１０５は、制御装置１０２とマニピュレータ１０３とを接続する接続ケーブル１０６で発生したノイズの影響を受けない。
【００１０】
また、接続ケーブル１０６による電圧降下は、定電圧素子の入力電圧の幅の範囲で許容できる。そのため、接続ケーブル１０６を長くすることができる。
【００１１】
また、従来の産業用ロボットは、制御装置１０２が停止し、電力供給部１０７からエンコーダ１０５への電力の供給が無くなった場合に、エンコーダ１０５に電力を供給する電池を電力供給部１０７の近くに配置している。この電池は、エンコーダ１０５がモータ１０４の回転位置情報等を記憶するための予備電源である。
【先行技術文献】
【特許文献】
【００１２】
【特許文献１】特開平１０−００６２７３号公報
【発明の概要】
【００１３】
しかし、従来の産業用ロボットは、モータ１０４の近傍にエンコーダ１０５用の電力供給部１０７を配置していたため、マニピュレータ１０３の筐体が大きくなるという課題を有していた。
【００１４】
さらに、マニピュレータ１０３の可動する部分に電力供給部１０７を配置していたため、マニピュレータ１０３の動作時の衝撃による破損の恐れや、埃や粉塵等の侵入による破損の恐れもあった。
【００１５】
上記課題を解決するために、本開示の産業用ロボットは、マニピュレータと、マニピュレータを制御する制御装置と、マニピュレータと制御装置とを接続する接続ケーブルとを有する。マニピュレータは、固定されたベース部と、第１のモータと、第１の検出部と、電力供給部と、第１の筐体と、第１の電源ケーブルと、第２のモータと、第２の検出部とを有する。第１のモータは、マニピュレータを動作させる。第１の検出部は、第１のモータの状態を検出する。電力供給部は、第１の検出部に電力を供給する。第１の筐体は、第１のモータと第１の検出部とを収納する。第１の電源ケーブルは、第１の検出部と電力供給部とを接続する。第２のモータは、第１の筐体に収納され、マニピュレータを動作させる。第２の検出部は、第１の筐体に収納され、第２のモータの状態を検出する。電力供給部は、ベース部に設けられている。第１の電源ケーブルは、第１の筐体内において分岐されて第２の検出部と接続されている。
【００１６】
以上のように、本開示の産業用ロボットは、モータの状態を検出する検出部に電力を供給する電力供給部を、マニピュレータの動作時に動作しないマニピュレータのベース部に設ける。これにより、マニピュレータの筐体部に電力供給部を配置する必要がなく、故に、マニピュレータの筐体部の大きさを小さくすることができる。また、ベース部は可動しないため、マニピュレータの動作時の衝撃による電力供給部の損傷を防ぐことができる。
【図面の簡単な説明】
【００１７】
【図１】図１は、本発明の実施の形態１における産業用ロボットの概略構成を示す図である。
【図２】図２は、本発明の実施の形態１における制御装置とエンコーダと電力供給部と電池の接続状態を示す図である。
【図３】図３は、従来の産業用ロボットの概略構成を示す図である。
【発明を実施するための形態】
【００１８】
以下、本開示の実施の形態について、図１と図２を用いて説明する。
【００１９】
（実施の形態）
図１および図２に示すように、本実施の形態の産業用ロボット１は、マニピュレータ２と、マニピュレータ２の関節の駆動を制御する制御装置３と、マニピュレータ２と制御装置３とを接続する接続ケーブル４を有する。
【００２０】
マニピュレータ２は、６軸の関節を有しており、床等の設置部に固定されたベース部５と、関節を駆動することにより可動する、第１の筐体６−１と第２の筐体６−２と第３の筐体６−３と第１のアーム７−１と第２のアーム７−２と第３のアーム７−３を有している。
【００２１】
マニピュレータ２は、それぞれの関節を駆動するための第１のモータ８−１から第６のモータ８−６までの６つのモータを有する。第１のモータ８−１から第６のモータ８−６はそれぞれ、第１のモータ８−１から第６のモータ８−６の回転位置、角度もしくは速度などのモータの状態を検出するための第１のエンコーダ９−１（第１の検出部）から第６のエンコーダ９−６（第６の検出部）の６つのエンコーダを有する。第１のエンコーダ９−１から第６のエンコーダ９−６の全てに電力を供給する電力供給部１０は、マニピュレータ２のベース部５内に配置されている。
【００２２】
また、制御装置３が停止し、電力供給部１０から各エンコーダへの電力の供給が無くなった場合に、各エンコーダに電力を供給する電池１１が電力供給部１０に接続されている。この電池１１は、第１のエンコーダ９−１から第６のエンコーダ９−６が、第１のモータ８−１から第６のモータ８−６の回転位置情報等を記憶するための予備電源である。この電池１１は、マニピュレータ２のベース部５内で、かつ、ベース部５の外部からアクセス可能、すなわち、交換可能な位置に設けられた電池ケースに収められている。従来は、電池が複数個所に分散して配置されていたが、本実施の形態では、電池１１をベース部５内に１つ配置しているため、メンテナンス時の電池交換を効率的に行うことができる。
【００２３】
なお、例えば、電力供給部１０は、制御装置３から供給される電力を監視し、制御装置３から供給される電力がゼロとなった場合に、各エンコーダに電池１１の電力を供給する。また、電力供給部１０は、制御装置３から電力が供給されている時は、電池１１を充電することもできる。
【００２４】
本実施の形態では、電池１１は、自己放電が少なく寿命の長いリチウム電池を使用している。しかし、その他の種類の一次電池や二次電池を使用しても良い。また、電池１１は、１本の電池または複数の電池から構成されている。
【００２５】
第１のモータ８−１と第２のモータ８−２は、第１の筐体６−１内に配置されている。第３のモータ８−３と第４のモータ８−４は、第２の筐体６−２内に配置されている。第５のモータ８−５と第６のモータ８−６は、第３の筐体６−３内に配置されている。なお、第１の筐体６−１と第２の筐体６−２とは、第１のアーム７−１を介して連結されている。第２の筐体６−２と第３の筐体６−３とは、第２のアーム７−２を介して連結されている。第３のアーム７−３は、第３の筐体６−３に接続されている。
【００２６】
ここで、第１のエンコーダ９−１から第６のエンコーダ９−６のそれぞれで検出した、第１のモータ８−１から第６のモータ８−６のそれぞれの回転位置、角度もしくは速度情報を、制御装置３に送る方法について説明する。
【００２７】
第１のエンコーダ９−１から第６のエンコーダ９−６のそれぞれは、第１の信号ケーブル１２−１から第６の信号ケーブル１２−６によって、制御装置３に接続されている。
【００２８】
第１のエンコーダ９−１で検出した第１のモータ８−１の回転位置、角度もしくは速度情報は、第１の筐体６−１と、ベース部５と、接続ケーブル４とを通る第１の信号ケーブル１２−１により、制御装置３に送られる。
【００２９】
同様に、第２のエンコーダ９−２（第２の検出部）で検出した第２のモータ８−２の回転位置、角度もしくは速度情報は、第１の筐体６−１と、ベース部５と、接続ケーブル４とを通る第２の信号ケーブル１２−２により、制御装置３に送られる。
【００３０】
同様に、第３のエンコーダ９−３（第３の検出部）で検出した第３のモータ８−３の回転位置、角度もしくは速度情報は、第２の筐体６−２と、第１のアーム７−１と、第１の筐体６−１と、ベース部５と、接続ケーブル４とを通る第３の信号ケーブル１２−３により、制御装置３に送られる。
【００３１】
同様に、第４のエンコーダ９−４（第４の検出部）で検出した第４のモータ８−４の回転位置、角度もしくは速度情報は、第２の筐体６−２と、第１のアーム７−１と、第１の筐体６−１と、ベース部５と、接続ケーブル４とを通る第４の信号ケーブル１２−４により、制御装置３に送られる。
【００３２】
同様に、第５のエンコーダ９−５（第５の検出部）で検出した第５のモータ８−５の回転位置、角度もしくは速度情報は、第３の筐体６−３と、第２のアーム７−２と、第２の筐体６−２と、第１のアーム７−１と、第１の筐体６−１と、ベース部５と、接続ケーブル４とを通る第５の信号ケーブル１２−５により、制御装置３に送られる。
【００３３】
同様に、第６のエンコーダ９−６で検出した第６のモータ８−６の回転位置、角度もしくは速度情報は、第３の筐体６−３と、第２のアーム７−２と、第２の筐体６−２と、第１のアーム７−１と、第１の筐体６−１と、ベース部５と、接続ケーブル４とを通る第６の信号ケーブル１２−６により、制御装置３に送られる。
【００３４】
なお、本実施の形態では、シリアル通信によって各モータの回転位置、角度もしくは速度を通信する例を示している。そのため、第１の信号ケーブル１２−１から第６の信号ケーブル１２−６は、図２に示すように２本で表している。しかし、この通信はパラレル通信等でも良い。パラレル通信が行われる場合、第１の信号ケーブル１２−１から第６の信号ケーブル１２−６の６つの信号ケーブルそれぞれの数は３本以上である。
【００３５】
また、第１の信号ケーブル１２−１から第６の信号ケーブル１２−６は、筐体内やアーム内を通るように配置しても良いし、一部が筐体やアームの外部に露出するように配置しても良い。
【００３６】
次に、電力供給部１０から、第１のエンコーダ９−１から第６のエンコーダ９−６の６つのエンコーダに、電力を供給する方法について説明する。
【００３７】
電力供給部１０には、制御装置３から、接続ケーブル４を介して電力が供給される。第１のエンコーダ９−１から第６のエンコーダ９−６には、ベース部５内に配置された１つの電力供給部１０から電力が供給される。電力供給部１０はプリント基板になっており、このプリント基板は、定電圧素子とフィルタとが設けられている。定電圧素子は、許容入力電圧に幅があり出力電圧が一定である。そのため、制御装置３からの電力が電圧降下をしていても、定電圧素子により出力電圧は一定に保つことができる。フィルタは、制御装置３から電力供給部１０までの経路（主に接続ケーブル４）で発生したノイズを除去する。なお、定電圧素子は、第１のエンコーダ９−１から第６のエンコーダ９−６に電力を供給する機能を有する。
【００３８】
そして、プリント基板では、制御装置３からの電力を６つのエンコーダそれぞれに供給するように配線が形成されている。すなわち、プリント基板では、制御装置３に接続された配線が、第１のエンコーダ９−１から第６のエンコーダ９−６と電力供給部１０とを接続するそれぞれの配線の数に応じて、分岐されている。定電圧素子とフィルタは、制御装置３に接続された配線に設けることが可能であり、定電圧素子とフィルタの数を減らすことができる。また、定電圧素子とフィルタとは、第１のエンコーダ９−１から第６のエンコーダ９−６のそれぞれに接続された配線ごとに設けてもよい。これにより、エンコーダごとに安定したノイズの少ない電力を供給できる。また、定電圧素子を制御装置３に接続された配線に設け、フィルタを第１のエンコーダ９−１から第６のエンコーダ９−６のそれぞれに接続された配線ごとに設けてもよい。また、フィルタを制御装置３に接続された配線に設け、定電圧素子を第１のエンコーダ９−１から第６のエンコーダ９−６のそれぞれに接続された配線ごとに設けてもよい。
【００３９】
第１の電源ケーブル１４−２により、ベース部５内の電力供給部１０から、第１のエンコーダ９−１および第２のエンコーダ９−２へ電力が供給される。第１の電源ケーブル１４−２は、ベース部５を通って第１の筐体６−１に導かれ、第１の筐体６−１内の第１の分岐部１５−１で２つに分岐される。分岐された第１の電源ケーブル１４−２の一方は第１のエンコーダ９−１に接続され、他方は第２のエンコーダ９−２に接続される。
【００４０】
同様に、第２の電源ケーブル１４−３により、ベース部５内の電力供給部１０から第３のエンコーダ９−３および第４のエンコーダ９−４へ電力が供給される。第２の電源ケーブル１４−３は、ベース部５と、第１の筐体６−１と、第１のアーム７−１を通って第２の筐体６−２に導かれ、第２の筐体６−２内の第２の分岐部１５−２で２つに分岐される。分岐された第２の電源ケーブル１４−３の一方は第３のエンコーダ９−３に接続され、他方は第４のエンコーダ９−４に接続される。
【００４１】
同様に、第３の電源ケーブル１４−４により、ベース部５内の電力供給部１０から第５のエンコーダ９−５および第６のエンコーダ９−６へ電力が供給される。第３の電源ケーブル１４−４は、ベース部５と、第１の筐体６−１と、第１のアーム７−１と、第２の筐体６−２と、第２のアーム７−２を通って第３の筐体６−３に導かれ、第３の筐体６−３内の第３の分岐部１５−３で２つに分岐される。分岐された第３の電源ケーブル１４−４の一方は第５のエンコーダ９−５に接続され、他方は第６のエンコーダ９−６に接続される。
【００４２】
なお、本実施の形態では、電力供給部１０が１つなので、制御装置３からの電力は、接続ケーブル４に含まれる１系統の主電源ケーブル１４−１によって、電力供給部１０に供給される。これにより、複数の系統の電源ケーブルを含んでいた従来の接続ケーブル４に比べて接続ケーブル４を簡素化できる。すなわち、従来は、複数の電源供給部に対応する複数の電源ケーブルを配線する必要があったが、本実施の形態では、従来に比べて電源ケーブルを減らすことができる。
【００４３】
次に、電池１１から、第１のエンコーダ９−１から第６のエンコーダ９−６の６つのエンコーダに、電力を供給する方法について説明する。
【００４４】
電池１１は、ベース部５内において、電力供給部１０のプリント基板に接続されている。そして、プリント基板では、電池１１からの電力を６つのエンコーダそれぞれに供給するように配線が形成されている。すなわち、プリント基板では、電池１１に接続された配線が、第１のエンコーダ９−１から第６のエンコーダ９−６と電力供給部１０とを接続するそれぞれの配線の数に応じて、分岐されている。定電圧素子とフィルタは、電池１１に接続された配線に設けることが可能であり、定電圧素子とフィルタの数を減らすことができる。また、定電圧素子とフィルタとは、第１のエンコーダ９−１から第６のエンコーダ９−６のそれぞれに接続された配線ごとに設けてもよい。これにより、エンコーダごとに安定したノイズの少ない電力を供給できる。また、定電圧素子を電池１１に接続された配線に設け、フィルタを第１のエンコーダ９−１から第６のエンコーダ９−６のそれぞれに接続された配線ごとに設けてもよい。また、フィルタを電池１１に接続された配線に設け、定電圧素子を第１のエンコーダ９−１から第６のエンコーダ９−６のそれぞれに接続された配線ごとに設けてもよい。
【００４５】
第１の電池用ケーブル１６−１により、ベース部５内の電池１１から第１のエンコーダ９−１および第２のエンコーダ９−２へ電力が供給される。第１の電池用ケーブル１６−１は、ベース部５を通って第１の筐体６−１に導かれ、第１の筐体６−１内の第１の分岐部１５−１で２つに分岐される。分岐された第１の電池用ケーブル１６−１の一方は第１のエンコーダ９−１に接続され、他方は第２のエンコーダ９−２に接続される。
【００４６】
同様に、第２の電池用ケーブル１６−２により、ベース部５内の電池１１から第３のエンコーダ９−３および第４のエンコーダ９−４へ電力が供給される。第２の電池用ケーブル１６−２は、ベース部５と、第１の筐体６−１と、第１のアーム７−１を通って第２の筐体６−２に導かれ、第２の筐体６−２内の第２の分岐部１５−２で２つに分岐される。分岐された第２の電池用ケーブル１６−２の一方は第３のエンコーダ９−３に接続され、他方は第４のエンコーダ９−４に接続される。
【００４７】
同様に、第３の電池用ケーブル１６−３により、ベース部５内の電池１１から第５のエンコーダ９−５および第６のエンコーダ９−６へ電力が供給される。第３の電池用ケーブル１６−３は、ベース部５と、第１の筐体６−１と、第１のアーム７−１と、第２の筐体６−２と、第２のアーム７−２を通って第３の筐体６−３に導かれ、第３の筐体６−３内の第３の分岐部１５−３で２つに分岐される。分岐された第３の電池用ケーブル１６−３の一方は第５のエンコーダ９−５に接続され、他方は第６のエンコーダ９−６に接続される。
【００４８】
なお、第１の分岐部１５−１から第３の分岐部１５−３の３つの分岐部は、ケーブルをコネクタや半田付け等で分岐する方法や、分岐用のプリント基板を設ける方法等が考えられる。第１の分岐部１５−１から第３の分岐部１５−３の３つの分岐部の分岐方法は、第１の筐体６−１から第３の筐体６−３のスペース等に応じて適切な方法を選択すればよい。
【００４９】
なお、第１の信号ケーブル１２−１と、第２の信号ケーブル１２−２と、第１の電源ケーブル１４−２と、第１の電池用ケーブル１６−１とを、８芯でありシールド付きの第１の複合ケーブル１７−１として、ベース部５と第１の筐体６−１とを接続するようにしても良い。
【００５０】
同様に、第３の信号ケーブル１２−３と、第４の信号ケーブル１２−４と、第２の電源ケーブル１４−３と、第２の電池用ケーブル１６−２とを、８芯でありシールド付きの第２の複合ケーブル１７−２とし、第１の筐体６−１と第１のアーム７−１を通って、ベース部５と第２の筐体６−２とを接続するようにしても良い。
【００５１】
同様に、第５の信号ケーブル１２−５と、第６の信号ケーブル１２−６と、第３の電源ケーブル１４−４と、第３の電池用ケーブル１６−３とを、８芯でありシールド付きの第３の複合ケーブル１７−３とし、第１の筐体６−１と、第１のアーム７−１と、第２の筐体６−２と、第２のアーム７−２を通って、ベース部５と第３の筐体６−３とを接続するようにしても良い。
【００５２】
このように、第１の複合ケーブル１７−１から第３の複合ケーブル１７−３を用いることで、ケーブルの耐摩耗性を向上できる。また、複合ケーブルを用いることで、複数のケーブルを１本のケーブルにまとめることができる。これにより、ケーブルの断面積が小さくなりマニピュレータ２におけるケーブル配線を簡略化できる。また、複合ケーブルを用いることで、シールドによってノイズによる誤動作を防止することができる。
【００５３】
なお、第１の複合ケーブル１７−１から第３の複合ケーブル１７−３の３つの複合ケーブルは、ＥＴＦＥ（エチレン・四フッ化エチレン共重合体）を絶縁体に使用した屈曲ケーブルが好ましい。これにより、マニピュレータ２の屈曲動作によるケーブルの断線を防止できる。
【００５４】
また、電源ケーブル１４−２〜１４−４および電池用ケーブル１６−１〜１６−３を、同じ筐体内に配置した２軸分のモータに共通に配線し、筐体内で分岐する。これにより、電源ケーブルや電池用ケーブルの配線数を減らすことができる。
【００５５】
また、プリント基板において、制御装置３に接続された配線と電池１１に接続された配線とをスイッチによって切り替えるように構成することも可能である。これにより、電力供給部１０への電力供給が制御装置３からの場合でも、電池１１からの場合でも、プリント基板の定電圧素子、フィルタを共用することが可能である。これにより、電源ケーブルと電池用ケーブルも共用することが可能である。このようにすることで、プリント基板の配線を大幅に削減することができ、電池用ケーブル又は電源ケーブルのどちらかが不要となる。
【００５６】
本実施の形態の産業用ロボットは、マニピュレータ２のベース部５に配置した電力供給部１０のプリント基板内部のフィルタの効果によりノイズを除去するので、接続ケーブル４のノイズの影響を受けない。
【００５７】
また、エンコーダ９と電力供給部１０との間のケーブルは、シールド付きの第１の複合ケーブル１７−１から第３の複合ケーブル１７−３のシールド効果により、ノイズの影響を受けない。
【００５８】
また、制御装置３から電力供給部１０へ供給される電力の接続ケーブル４の長さによる電圧降下は、定電圧素子の入力電圧の幅まで許容できる。そのため、接続ケーブル４を長くすることができる。
【００５９】
本実施の形態の産業用ロボットでは、電力供給部１０および電池１１は、ベース部５にのみ配置するだけでマニピュレータ２を構成することができる。そのため、従来の産業用ロボットのように、第１の筐体６−１から第３の筐体６−３のそれぞれの内部に電力供給部１０や電池１１を設ける必要がない。従って、本実施の形態の産業用ロボットは、第１のモータ８−１から第６のモータ８−６を収納する第１の筐体６−１から第３の筐体６−３の大きさを小さくすることができる。
【００６０】
また、本実施の形態の産業用ロボットは、ベース部５の外部からアクセス可能な位置に電池１１が配置されている。そのため、従来の産業用ロボットのように電池１１を複数分散して配置する場合に比べ、メンテナンス時の電池交換時間を短縮することができる。
【００６１】
また、本実施の形態の産業用ロボットのベース部５は可動部ではないため、形状の自由度が高く、電力供給部１０や電池１１の配置スペースを確保することが容易であり、設計上の制約が減るという利点もある。そして、ベース部５は可動部ではないため、マニピュレータ２の動作時の衝撃による電力供給部１０や電池１１の破損の恐れも低減される。
【００６２】
また、マニピュレータ２と制御装置３との間の電源ケーブル１４−１は、電力供給部１０が１つである。そのため、マニピュレータ２に複数のエンコーダがある場合においても電力供給部１０に入力される電源ケーブルは１系統で構成でき、接続ケーブル４を簡素化できる。
【産業上の利用可能性】
【００６３】
本開示の産業用ロボットは、ノイズに強く、メンテナンス性に優れ、コンパクトな筐体を有するものであり、生産設備の自動化装置として適用領域を増やすことができ、産業上有用である。
【符号の説明】
【００６４】
１，１０１    産業用ロボット
２，１０３    マニピュレータ
３，１０２    制御装置
４，１０６    接続ケーブル
５    ベース部
６−１〜６−３    第１〜第３の筐体
７−１〜７−３    第１〜第３のアーム
８−１〜８−６    第１〜第６のモータ
９−１〜９−６    第１〜第６のエンコーダ
１０，１０７    電力供給部
１１    電池
１２−１〜１２−６    第１〜第６の信号ケーブル
１４−１    主電源ケーブル
１４−２〜１４−４    第１〜第３の電源ケーブル
１５−１〜１５−３    第１〜第３の分岐部
１６−１〜１６−３    第１〜第３の電池用ケーブル
１７−１〜１７−３    第１〜第３の複合ケーブル
【図１】
0005919469.tif 000002
【図２】
0005919469.tif 000003
【図３】
0005919469.tif 000004